【事件の表示】
　特許第３４０６８７８号「浴室」の請求項１、２に係る特許に対する特許異議の申立てについて、次のとおり決定する。
【結　論】
　訂正を認める。
　特許第３４０６８７８号の請求項１、２に係る特許を取り消す。
【理　由】
１．手続の経緯
　本件特許第３４０６８７８号に係る出願は、平成１２年１月２４日の出願であって、平成１５年３月７日に特許の設定登録がなされ、その後、クリナップ株式会社から特許異議の申立がなされ、取消理由通知が通知され、その指定期間内である平成１６年８月１０日付けで訂正請求がなされ、さらに、審尋に対し、異議申立人から回答書が提出されたものである。
　
２．訂正の適否についての判断
（１）訂正の内容
（平成１６年８月１０日付け訂正請求書において、訂正箇所を訂正後の明細書の段落番号によって特定しているが、以下、訂正前の明細書の段落番号によって訂正箇所を特定する。）
　ア．訂正事項ａ
　「浴槽の全周囲に亘って略同一の高さで延出する縁を備え、出窓側の縁の上面には連結体を介して洗い場側の縁よりも一段高くなった出窓のカウンター添設面を一体形成し、このカウンター添設面に出窓のカウンターの縁を沿わせて各縁を重ね合わせ、各縁の間にシール部材を介装したことを特徴とする浴室。」
とある特許請求の範囲の請求項１の記載を、
「
浴槽と、この浴槽を囲う壁パネルとを備え、
一次シールを介装すると共に、出窓のカウンターの裏面と壁パネルとの間に二次シール
と訂正する。
　イ．訂正事項ｂ
　明細書の段落【０００８】の記載について、「浴槽の全周囲に」とあるのを、「浴槽と、この浴槽を囲う壁パネルとを備え、浴槽の全周囲に」と訂正し、「各縁の間にシール部材」を「各縁の間に一次シールを介装すると共に、出窓のカウンターの裏面と壁パネルとの間に二次シール」と訂正する。
　ウ．訂正事項ｃ
　明細書の段落【００２７】の記載について、「なお、上記止水テープ６１は必須のものではなく、その省略が可能である。」を削除する。
　エ．訂正事項ｄ
　明細書の段落【００３４】の記載について、「浴槽の全周囲に」とあるのを、「浴槽と、この浴槽を囲う壁パネルとを備え、浴槽の全周囲に」と訂正し、「各縁の間にシール部材」を「各縁の間に一次シールを介装すると共に、出窓のカウンターの裏面と壁パネルとの間に二次シール」と訂正する。
（２）訂正の目的の適否、新規事項の有無および拡張・変更の適否
　上記訂正事項ａに係る訂正は、特許請求の範囲の減縮を目的とするものであり、訂正事項ｂ〜ｄに係る訂正は、訂正事項ａに関連してなされた明りょうでない記載の釈明に該当し、いずれの訂正も、願書に最初に添付した明細書又は図面に記載した事項の範囲内のものであり、さらに、実質上特許請求の範囲を拡張し、又は変更するものではない。
　したがって、上記訂正は、平成１５年改正前の特許法第１２０条の４第２項および第３項で準用する特許法第１２６条第２項および第３項の規定に適合するので、当該補正を認める。
　
３．異議の申立てについての判断
（１）申立人クリナップ株式会社は、証拠として甲第１号証（実願昭５７−１０６８６号（実開昭５８−１１４１９７号）のマイクロフィルム）、甲第２号証（実公昭６１−９１０５号公報）、甲第３号証（実公平３−１３２６７号公報）、甲第４号証（「すてきな住まいＮＯ．１８」，株式会社扶桑社，平成５年１２月１日発行，ｐ．１６２）、甲第５号証（「タカラ（ホーローステン）システムバス　ホーローパネルＴＹＰＥ施工説明書」，タカラスタンダード株式会社，平成１年４月発行，ｐ．６５，ｐ．６８−６９）、甲第６号証（意匠登録第９４５７９５号公報）を提出し、本件請求項１に係る発明の特許は、特許法第２９条第１項第２号又は特許法第２９条第２項の規定に違反してなされたものであり、また、本件請求項２に係る発明の特許は、特許法第２９条第２項の規定に違反してなされたものであり、特許法第１１３条第１項第２号の規定により取り消すべきものであると主張している。
　
（２）本件訂正後発明
　本件訂正明細書の請求項１、２に係る発明（以下、「訂正後発明１、２」という。）は、訂正明細書の特許請求の範囲１、２に記載された以下のとおりのものである。
「【請求項１】　
浴槽と、この浴槽を囲う壁パネルとを備え、
一次シールを介装すると共に、出窓のカウンターの裏面と壁パネルとの間に二次シール
　【請求項２】　前記浴槽の出窓側の縁からカウンター添設面の端縁までの幅寸法Ｗ１、Ｗ２、Ｗ３は、当該浴槽の中心部から外側に向けてなだらかに増加し、しかも浴槽の出窓側の縁とカウンター添設面とは、略くの字に曲がる中間を有した連結体を介して一体的になだらかに連結されていることを特徴とする請求項１記載の浴室。」
　
（３）引用刊行物記載の発明
（３−１）当審が先に通知した取消理由通知で引用し、本願特許出願前に頒布された、実願昭５７−１０６８６号（実開昭５８−１１４１９７号）のマイクロフィルム（異議申立人提出の甲第１号証。以下、「刊行物１」という。）には、図面とともに以下の記載がある。
（ア）「浴槽部側の側壁に出窓枠を設け、この出窓枠の底面板のみを浴槽部の窓側フランジ部まで延設して、前記底面板上に植木鉢等の装飾品を載置可能としてなるバスユニット。」（明細書第１頁第５行〜第８行）
（イ）「図において、１は洗い場、２は浴槽部で、プラスチックス材料にて一体形成している。３は出窓枠で、室外壁４よりも外方へ突設し、その底面板５は浴槽部２の窓側フランジ部６まで延設して、底面板５上に植木鉢等の装飾品７を載置可能としている。８はガラス戸である。」（同第２頁第４行〜第９行）
（ウ）第１図の記載を参照すると、浴槽部２の上端の縁は、全周囲に亘って略同一の高さとなっている構成も開示されている。また、第１図および第２図の記載を参照すると、浴槽部２の窓側フランジ部６は、洗い場１側の縁よりも一段高くなっているとともに、前記窓側フランジ部６が浴槽部２と一体形成されていることは、当業者にとって明らかである。
（エ）第２図には、窓側フランジ部６は出窓の底面板５と添設する面を有しており、前記窓側フランジ部６と前記底面板５の縁を沿わせて各縁を重ね合わせた構成が開示されている。
　これらの記載を参照すると、刊行物１には、次の発明が記載されていると認められる。
「浴槽部２と、浴槽部２の全周囲に亘って略同一の高さで延出する縁を備え、出窓側の縁の上面には窓側フランジ部６を介して洗い場１側の縁よりも一段高くなった出窓の底面板５と添設する面を一体形成し、この窓側フランジ部６と出窓の底面板５の縁を沿わせて各縁を重ね合わせたバスユニット。」
　
（３−２）同、実公昭６１−９１０５号公報（異議申立人提出の甲第２号証。以下、「刊行物２」という。）には、図面とともに以下の記載がある。
（オ）「第１〜３図において本考案のバスルーム用出窓装置１は、前板体２の両側にガラス戸３を略全面に嵌着する側板体４，４を設けかつその下面と上面とに、下板体５と前方に向かって下方に傾斜する上板体６とを付設し背部を開放した箱形のユニットＡを有し、各板体２，４，５，６間には例えばアルミ角筒管を用いて構成した枠体７が配設され又上板体６、下板体５の開放側端縁の枠体７ａ，７ｂには夫々上・下に向かう突片からなる係合部８ａ，８ｂを設ける。」（第２欄第３行〜第１２行）
（カ）第３図には、バスルーム用出窓装置１の取付を説明する図であるから、出窓装置１の内側下部には浴槽が設けられていることは当然であり、該浴槽と考えられる部位と下板体５の係合部８ｂとが、略くの字に曲がる部材を介してなだらかに連結されている構成が記載されている。
　
（３−３）同、「タカラ（ホーローステン）システムバス　ホーローパネルＴＹＰＥ施工説明書」，タカラスタンダード株式会社，平成１年４月発行，ｐ．６５，ｐ．６８−６９（異議申立人提出の甲第５号証。以下、「刊行物３」という。）には、浴槽と出窓のカウンターを備えた浴室が記載されており、サッシ枠、壁パネル、ハーフユニットと出窓枠との接合部等にシリコンの塗布を指示する旨の記載がある。
　
（３−４）同、意匠登録第９４５７９５号公報（異議申立人提出の甲第６号証。以下、「刊行物４」という。）には、使用状態を示す参考図として、出窓カウンターと浴槽とを有する浴室が示されており、また、平面図の記載を参照すると、前記浴槽の出窓側の縁からカウンター添設面の端縁までの幅寸法が、当該浴槽の中心部から外側に向けてなだらかに増加することは、当業者にとって明らかである。
　
（４）対比・判断
（４−１）訂正後発明１について
　訂正後発明１と、刊行物１記載の発明とを対比すると、刊行物１記載に発明の「浴槽部２」、「窓側フランジ部６」、「出窓の底面板５と添設する面」、「出窓の底面板５」および「バスユニット」は、それぞれ、訂正後発明１の「浴槽」、「連結体」、「出窓のカウンター添設面」、「出窓のカウンター」および「浴室」に相当するから、両者は、
「浴槽と、浴槽の全周囲に亘って略同一の高さで延出する縁を備え、出窓側の縁の上面には連結体を介して洗い場側の縁よりも一段高くなった出窓のカウンター添設面を一体形成し、このカウンター添設面に出窓のカウンターの縁を沿わせて各縁を重ね合わせた浴室。」
の点で一致し、下記の点で相違している。
＜相違点＞
　訂正後発明１では、浴室が、浴槽を囲う壁パネルを備え、カウンター添設面において、各縁の間に一次シールを介装すると共に、出窓カウンターの裏面と壁パネルとの間に二次シールを介装しているのに対し、刊行物１記載の発明では、浴槽を囲う壁パネルを有しておらず、また、前記各縁の間にシールを介装しているのかどうか不明であり、さらに、出窓のカウンター側に壁パネル材が設けられていないことから、当然に、出窓のカウンターの裏面と壁パネルとの間に設けられるシールも存在しない点。
　上記相違点について検討する。
　出窓のカウンターを有する浴室において、浴槽を囲む壁パネルを備えるとともに、出窓のカウンターと壁パネルとを接合した構成は、従来周知の事項（必要あれば、実願昭６３−１５３２２号（実開平１−１１９７４４号）のマイクロフィルム（第２図）、特開平２−５２６１６号公報（第１図）、実願平３−８９８４１号（実開平５−４２５２１号）のＣＤ−ＲＯＭ（図１〜図３）等参照）である。そして、各部材の接合部に水密性を確保するためにシールを介装することは、従来周知の事項（必要あれば、甲２号証等参照）であるので、出窓のカウンターの裏面と壁パネルとの間、および、カウンター添設面における各縁の間にシールを介装することは当業者であれば当然になしうることである。
　さらに、奥行き方向に二段階のシールを設けた構造も、例えば実願昭５６−１６０２７３号（実開昭５８−６５９９１号）のマイクロフィルム（特に第１図および第２図参照。）に記載されているように、従来周知の事項である。
　以上のことから、上記相違点の訂正後発明１に係る構成は、当業者が刊行物１記載の発明、および、従来周知の事項に基づき、当業者が容易に想到できた事項にすぎない。
　さらに、訂正後発明１が奏する作用効果も、刊行物１記載の発明、および、上記各従来周知の事項から普通に予測できる範囲内のものであって、格別なものがあるとは認められないから、訂正後発明１は、刊行物１記載の発明、および、従来周知の事項に基づき当業者が容易に発明をすることができたものである。
　
（４−２）訂正後発明２について
　訂正後発明２は、訂正後発明１を引用してさらに、「前記浴槽の出窓側の縁からカウンター添設面の端縁までの幅寸法Ｗ１、Ｗ２、Ｗ３は、当該浴槽の中心部から外側に向けてなだらかに増加し、しかも浴槽の出窓側の縁とカウンター添設面とは、略くの字に曲がる中間を有した連結体を介して一体的になだらかに連結されている」という事項を付加したものであるが、上記訂正後発明１についての検討事項に加えて、刊行物１記載の発明における窓側フランジ部６（連結体に相当する。）は、略くの字に曲がる中間を有していることから、「浴槽の出窓側の縁とカウンター添設面とは、略くの字に曲がる中間を有した連結体を介して一体的に」「連結されている」構成は、刊行物１に記載されている。　また、刊行物２をみると、刊行物２には、浴槽と考えられる部位と下板体５とは、略くの字に曲がる部材を介してなだらかに連結されている構成が記載されており、刊行物２記載の発明の「下板体５」は、訂正後発明２の「カウンター」に相当するから、浴槽とカウンターとを連結する部材を「なだらかに」連結する形状とした構成が記載されているといえる。
　さらに、刊行物４をみると、刊行物４には、浴槽の出窓側の縁からカウンター添設面の端縁までの幅寸法が、当浴槽の中心部から外側に向けてなだらかに増加する構成が記載されている。
　そして、刊行物１記載の発明に、刊行物２，４記載の発明を組み合わせることは、当業者が容易に相当する程度のことであり、訂正後発明２が奏する効果も格別なものがあるとはいえない。
　したがって、訂正後発明２は、刊行物１，２，４記載の発明、および、従来周知の事項に基づき当業者が容易に発明をすることができたものである。
　
５．むすび
　以上のとおりであるから、本件訂正後発明１、２は、特許法第２９条第２項の規定により特許を受けることができない。
　したがって、本件訂正後発明１、２の特許は、平成１５年改正前の特許法第１１３条第２項に該当し、取り消されるべきものである。
　よって結論のとおり決定する。
【異議決定日】
平成１６年１０月１２日（２００４．１０．１２）
【訂正の要旨】
審決（決定）の【理由】欄参照。
（５４）【発明の名称】
浴室
（５７）【特許請求の範囲】
　【請求項１】　
浴槽と、この浴槽を囲う壁パネルとを備え、
一次シールを介装すると共に、出窓のカウンターの裏面と壁パネルとの間に二次シール
　【請求項２】　前記浴槽の出窓側の縁からカウンター添設面の端縁までの幅寸法Ｗ１，Ｗ２，Ｗ３は、当該浴槽の中心部から外側に向けてなだらかに増加し、しかも浴槽の出窓側の縁とカウンター添設面とは、略くの字に曲がる中間を有した連結体を介して一体的になだらかに連結されていることを特徴とする請求項１記載の浴室。
【発明の詳細な説明】
　【０００１】
　【発明の属する技術分野】
　本発明は、浴槽に隣接する出窓を備えた浴室に関する。
　【０００２】
　【従来の技術】
　一般に、図９に示すように、洗い場１０１に隣接する浴槽１０２、並びにこの浴槽１０２に隣接する出窓１０３を備えた浴室１０４が知られている（実開平５−４２５２１号公報）。
　【０００３】
　この種の浴室１０４は、一つの壁パネル１０５に出窓カウンター１０３Ａを備え、この出窓カウンター１０３Ａの上面が浴室の室内側に向かって下向き勾配の傾斜面になっており、例えば、浴室１０４の清掃時に、出窓カウンター１０３Ａ上の汚れを洗い流せるようにしている。
　【０００４】
　上記構成の浴室１０４では、浴槽１０２内のお湯が出窓カウンター１０３側に流出しないように、当該浴槽１０２の上縁よりも出窓カウンター１０３を高く設定するのが一般的である。
　【０００５】
　【発明が解決しようとする課題】
　しかしながら、上記浴槽１０２の上縁よりも出窓カウンター１０３を高く設定すると、従来の構成では、出窓カウンター１０３Ａと浴槽１０２間に壁パネル１０５が位置することになるため、出窓カウンター１０３Ａの室内側の縁と壁パネル１０５との間、並びに壁パネル１０５と浴槽１０２の出窓側の縁との間の二カ所に防水シール構造を設ける必要があり、部品点数が増加すると共に、施工作業が繁雑化する等の問題がある。
　【０００６】
　また、出窓カウンター１０３Ａと浴槽１０２間に、垂直に立ち上がる壁パネル１０５が位置するため、出窓カウンター１０３Ａと浴槽１０２間がなだらかに連続せず、意匠性が悪い等の問題がある。
　【０００７】
　そこで、本発明の目的は、上述した従来の技術が有する課題を解消し、防水シール構造の部品点数を削減できると共に、施工作業が容易な、しかも意匠美に優れた浴室を提供することにある。
　【０００８】
　【課題を解決するための手段】
　請求項１記載の発明は、
浴槽と、この浴槽を囲う壁パネルとを備え、
一次シールを介装すると共に、出窓のカウンターの裏面と壁パネルとの間に二次シール
　【０００９】
　請求項２記載の発明は、請求項１記載のものにおいて、前記浴槽の出窓側の縁からカウンター添設面の端縁までの幅寸法Ｗ１，Ｗ２，Ｗ３は、当該浴槽の中心部から外側に向けてなだらかに増加し、しかも浴槽の出窓側の縁とカウンター添設面とは、略くの字に曲がる中間を有した連結体を介して一体的になだらかに連結されていることを特徴とするものである。
　【００１０】
　【発明の実施の形態】
　以下、本発明の一実施形態を添付図面に従って説明する。
　【００１１】
　図１において、１はバスルームユニット（浴室）を示している。この浴室１は洗い場３に隣接する浴槽５を備え、この浴槽５は浴室側防水パン７の上に設置されている。この浴槽５、浴室側防水パン７並びに洗い場３の下にはそれぞれの排水用の配水管９が設置されている。
　【００１２】
　上記洗い場３および浴槽５を囲うように壁パネル１１が設けられ、この壁パネル１１の上には天井パネル１３が設けられ、この天井パネル１３には換気扇１５が設けられている。１６は出窓である。
　【００１３】
　図２に示すように、浴槽５の足下側５Ａの壁パネル１１Ａには、洗い場３から浴槽５に跨って樹脂製の水栓カウンター１７が略水平に設置される。
　【００１４】
　この水栓カウンター１７には、図１に示すように、洗い場用の冷水または温水のカラン１９と、シャワーホース２１が設けられ、さらに浴槽用の冷水、温水のカラン２３と、その水栓２５が設けられている。
　【００１５】
　上記壁パネル１１Ａの水栓カウンター１７の上方には、意匠性を重視して、壁パネル１１Ａの幅略一杯に亘って鏡２７が設置され、この鏡２７の上方には水栓カウンター１７と略平行に当該水栓カウンター１７と同じ樹脂製の照明カウンター２９が取り付けられ、この照明カウンター２９の上方の当該壁パネル１１Ａには室内照明装置３０が取り付けられている。
　【００１６】
　この照明カウンター２９の上面には、図３に示すように、ガードホルダー３４が取り付けられ、このガードホルダー３４で囲まれた照明カウンター２９の上面２９Ａには、例えばシャンプー、リンス等の浴室用予備品が載置される。
　【００１７】
　この照明カウンター２９の下面には、蛍光灯器具３２が取り付けられ、この蛍光灯器具３２はカバー体３６で覆われている。この蛍光灯器具３２とカバー体３６が照明装置３３を構成する。
　【００１８】
　この蛍光灯器具３２は、図１に示すように、洗い場３の上方に位置し、照明カウンター２９の略半分の長さに亘って取り付けられている。上記照明カウンター２９は、当該壁パネル１１Ａ近傍の意匠性を向上させ、しかも、その上面２９Ａが予備品置き場を構成する等、有用性の高い棚を構成する。この照明カウンター２９が洗い場３側に突出する分だけ、上方からの室内照明装置３０の光が、洗い場３側の鏡２７や水栓カウンター１７の近傍に届き難くなる。しかし、蛍光灯器具３２を点灯させることにより、洗い場３側で洗髪、洗顔等を行う場合、いわゆる手暗がりになることがない。
　【００１９】
　本実施形態では、図４に示すように、浴槽５が樹脂製であって、当該浴槽５の全周囲に亘って略同一の高さＨで延出する縁５１Ａ，５１Ｂを備え、出窓側の縁５１Ａの上面には、洗い場側の縁５１Ｂの上面よりも一段高くなった出窓１６のカウンター４１の添設面５１Ｃが一体的に形成されている。
　【００２０】
　このカウンター添設面５１Ｃは、図５に示すように、出窓カウンター４１の室内側の縁４１Ａの真下に延出している。
　【００２１】
　上記浴槽５の縁５１Ａ，５１Ｂは、図６に示すように、いわゆるラウンド形を有しており、出窓側の縁５１Ａの上面に沿って形成されたカウンター添設面５１Ｃは、図７ａ，ｂ，ｃに示すように、縁５１Ａ，５１Ｂの高さＨ（図４）を基準として、そこから略同一の高さＨ１を有している。そして、浴槽５の縁５１Ａからカウンター添設面５１Ｃの端縁４５までの幅寸法Ｗ１、Ｗ２、Ｗ３は、当該浴槽５の中心部から外側に向けてなだらかに増加し、しかも浴槽５の縁５１Ａとカウンター添設面５１Ｃとは、略くの字に曲がる中間４７を有した連結体５１Ｄを介して一体的になだらかに連結されている。
　【００２２】
　また、出窓１６のカウンター４１の縁４１Ａは、カウンター添設面５１Ｃになだらかに連続するように、図８に示すように、カウンター添設面５１Ｃの端縁４５の形状に沿って湾曲して形成されている。
　【００２３】
　なお、図６および図８では、上記浴槽５およびカウンター４１が、図中で上下対称の構造を有するため、一半部の形状のみを示している。
　【００２４】
　つぎに、図５を参照して、上記浴槽５と壁パネル１１とカウンター４１のシール構造を説明する。
　【００２５】
　カウンター４１の裏面には、アルミニウム製の断面が略Ｌ字状の止水テープ保持材５９が接着剤で貼り付けられている。この止水テープ保持材５９はカウンター４１の長手方向に直線的に延出する垂下部５９ａを有し、この垂下部５９ａの内面には止水テープ６１が貼られ、この止水テープ６１が壁パネル１１に密着している。この止水テープ６１は二次的なシールであり、本実施形態では、浴槽５のカウンター添設面５１Ｃを、出窓カウンター４１の室内側の縁４１Ａの真下に延出させ、このカウンター４１の縁４１Ａとカウンター添設面５１Ｃとの間に、シリコン等のシール部材６３が充填されている。
　【００２６】
　このシール部材６３が一次シールであり、このシール部材６３によって浴槽５とカウンター４１間が
シールされる。
　【００２７】
　本実施形態では、浴槽５と出窓カウンター４１がなだらかに連続し、一か所で連結されるので、シール構造が一か所になり、シールのための部品点数が削減され、施工作業が容易になり、しかも意匠美に優れたものになる。
　【００２８】
　また、カウンター添設面５１Ｃが、浴槽５の出窓側における一段高くなった縁の上面に形成されているので、浴槽５のお湯が溢れた場合、そのお湯が、出窓側に流出することがない、等の効果を奏する。
　【００２９】
　また、上記実施形態では、図７Ａ〜図７Ｃに示すように、カウンター添設面５１Ｃの上面と、出窓カウンター４１の下面との間の隙間が、出窓カウンター４１の長手方向に亘って常に一定であり、その隙間の大きさも狭い。
　【００３０】
　そのため、当該隙間にシリコン等のシール部材６３を充填する場合、その充填作業を容易に行うことができる。
　【００３１】
　また、上記隙間が、出窓カウンター４１の長手方向に亘って一定であり、その隙間の大きさも狭いため、当該隙間にシリコン等のシール部材６３を充填する代わりに、定形の板状シール部材を介装することが可能である。この場合、定形の板状シール部材を、カウンター添設面５１Ｃの上面にあらかじめ取り付けておくことができ、シール作業を簡素化することができる。
　【００３２】
　以上、一実施形態に基づいて本発明を説明したが、本発明は、これに限定されるものでないことは明らかである。
　【００３３】
　【発明の効果】
　請求項１記載の発明では、
浴槽と、この浴槽を囲う壁パネルとを備え、
一次シールを介装すると共に、出窓のカウンターの裏面と壁パネルとの間に二次シール
　【００３４】
　請求項２記載の発明では、浴槽の出窓側の縁からカウンター添設面の端縁までの幅寸法Ｗ１，Ｗ２，Ｗ３は、当該浴槽の中心部から外側に向けてなだらかに増加し、しかも浴槽の出窓側の縁とカウンター添設面とは、略くの字に曲がる中間を有した連結体を介して一体的になだらかに連結されているので、さらに意匠美に優れたものになる。
【図面の簡単な説明】
　【図１】
　本発明による浴室の一実施形態を示す図である。
　【図２】
　浴室の横断面図である。
　【図３】
　照明カウンターの断面図である。
　【図４】
　出窓と浴槽を示す断面図である。
　【図５】
　出窓と浴槽のシール構造を示す断面図である。
　【図６】
　浴槽の平面図である。
　【図７】
　Ａは、図６のＡ−Ａ断面を示し、Ｂは、図６のＢ−Ｂ断面を示し、Ｃは、図６のＣ−Ｃ断面を示す図である。
　【図８】
　出窓カウンターの平面図である。
　【図９】
　従来の浴室を示す図である。
　【符号の説明】
　１　浴室
　３　洗い場
　５　浴槽
　１１　壁パネル
　４１　カウンター
　４１Ａ　カウンターの縁
　５１Ａ，５１Ｂ　浴槽の縁
　５１Ｃ　カウンター添設面
　５９　止水テープ保持材
　６１　止水テープ
　６３　シール部材